(57)【要約】【課題】無線通信システムにおいてヘッダを設定する方法及び装置を提供する。【解決手段】方法は、ＲＬＣ  ＰＤＵ（無線リンク制御プロトコルデータユニット）を複数のセグメントにセグメント化し、複数のセグメントのうち１つは第一ヘッダを備える段階と、前記ＲＬＣ  ＰＤＵの情報を表示するフィールドを備えるように第一ヘッダを設定する段階とを含む。【選択図】図４
2009049990.tif 000002
【特許請求の範囲】
【請求項１】
無線通信システムの受信端においてヘッダを設定する方法であって、
ＲＬＣ  ＰＤＵ（無線リンク制御プロトコルデータユニット）を複数のセグメントにセグメント化し、複数のセグメントのうち１つは第一ヘッダを備える段階と、
前記ＲＬＣ  ＰＤＵの情報を表示するフィールドを備えるように第一ヘッダを設定する段階とを含む、ヘッダの設定方法。
【請求項２】
前記フィールドは前記ＲＬＣ  ＰＤＵのシーケンス番号を示す、請求項１に記載のヘッダの設定方法。
【請求項３】
前記シーケンス番号はＲＬＣシーケンス番号である、請求項２に記載のヘッダの設定方法。
【請求項４】
前記シーケンス番号は送信端のＲＬＣエンティティーの上位層プロトコルエンティティーに用いられるシーケンス番号である、請求項２に記載のヘッダの設定方法。
【請求項５】
前記上位層プロトコルエンティティーはＰＤＣＰ（パケットデータコンバージェンスプロトコル）エンティティーである、請求項４に記載のヘッダの設定方法。
【請求項６】
無線通信システムにおいてヘッダを正確に設定するための通信装置であって、
通信装置の機能を実施する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、前記プログラムコードは、
ＲＬＣ  ＰＤＵを複数のセグメントにセグメント化し、複数のセグメントのうち１つは第一ヘッダを備えるコードと、
前記ＲＬＣ  ＰＤＵの情報を表示するフィールドを備えるように第一ヘッダを設定するコードとを含む、通信装置。
【請求項７】
前記フィールドは前記ＲＬＣ  ＰＤＵのシーケンス番号を示す、請求項６に記載の通信装置。
【請求項８】
前記シーケンス番号はＲＬＣシーケンス番号である、請求項７に記載の通信装置。
【請求項９】
前記シーケンス番号は送信端のＲＬＣエンティティーの上位層プロトコルエンティティーに用いられるシーケンス番号である、請求項７に記載の通信装置。
【請求項１０】
前記上位層プロトコルエンティティーはＰＤＣＰエンティティーである、請求項９に記載の通信装置。
【発明の詳細な説明】
【技術分野】
【０００１】
本発明は無線通信システムにおいてヘッダを設定する方法及び装置に関し、特に伝送効率を保持し、送信失敗を回避できる方法及び装置に関する。
【背景技術】
【０００２】
第三世代移動通信技術は高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。しかし、高速データ伝送とマルチメディアアプリケーションに対する市場の要求に鑑みて、業界では次世代の通信技術を開発し、規格制定機構も業界の需要に合わせて通信プロトコルを度々改定している。
【０００３】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ（無線リンク制御）層とＭＡＣ（媒体アクセス制御）層は基地局（ノードＢ）とＲＮＣ（無線ネットワークコントローラ）に別個に設ける必要がなく、同一のネットワークエンティティー（例えば基地局）に統合できるので、システム構造が比較的に簡単である。
【０００４】
従来の技術によれば、無線環境に変化があった場合に、ＬＴＥ無線通信システムはＲＬＣ  ＰＤＵ（無線リンク制御プロトコルデータユニット）のセグメント化または再セグメント化をサポートする。セグメント化されたＲＬＣ  ＰＤＵはＲＬＣ  ＰＤＵセグメントと称し、以下にセグメントと略する。セグメント化前の元ＲＬＣ  ＰＤＵは以下に元ＰＤＵと略する。
【０００５】
セグメント化後、従来の技術ではセグメントオフセットフィールドを用いて前記セグメントの元ＰＤＵにおける位置を表示する。セグメントオフセットフィールドはオクテット方式でセグメントの位置を表示するが、この従来の技術ではその長さが指定されていない。この従来の技術では更に、１ビットの最終セグメントフラグフィールドを用いて、セグメントの最終オクテットがＰＤＵの最終オクテットであるかどうかを示す。
【０００６】
また、他の従来の技術では、セグメントオフセットフィールドの長さを１４または１５ビットと指定する。この従来の技術では更に、１ビットのセグメントオフセット指示フィールドを用いて、対応するパケットのヘッダにセグメントオフセットフィールドが含まれているかどうかを示す。
【０００７】
以上のように、セグメントの関連情報を表示するためには、そのヘッダにセグメントオフセット指示フィールド、セグメントオフセットフィールド、及び最終セグメントフラグフィールド、合わせて１６または１７ビット設けなければならない。しかし、これらのフィールドでは完全なＲＬＣ  ＰＤＵに再組み立てすることができない。特にＲＬＣ  ＰＤＵの複数のセグメントが本来の順序で受信端に到達するのでない場合、または他のＲＬＣ  ＰＤＵもしくはＲＬＣ  ＰＤＵセグメントが混在している場合では再組み立てがほぼ不可能である。
【０００８】
簡単にいえば、従来の技術では、ＲＬＣ  ＰＤＵセグメントのヘッダに含まれたフィールドでは元のＲＬＣ  ＰＤＵに再組み立てすることができないので、伝送遅延または送信の失敗が生じうる。
【発明の開示】
【発明が解決しようとする課題】
【０００９】
本発明の主な目的は、無線通信システムにおいてヘッダを設定する方法及び装置を提供することにある。
【課題を解決するための手段】
【００１０】
本発明では、無線通信システムの受信端においてヘッダを設定する方法を開示する。当該方法は、ＲＬＣ  ＰＤＵ（無線リンク制御プロトコルデータユニット）を複数のセグメントにセグメント化し、複数のセグメントのうち１つは第一ヘッダを備える段階と、前記ＲＬＣ  ＰＤＵの情報を表示するフィールドを備えるように第一ヘッダを設定する段階とを含む。
【００１１】
本発明では更に、無線通信システムにおいてヘッダを正確に設定するための通信装置を開示する。当該通信装置は、通信装置の機能を実施する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。前記プログラムコードは、ＲＬＣ  ＰＤＵを複数のセグメントにセグメント化し、複数のセグメントのうち１つは第一ヘッダを備えるコードと、前記ＲＬＣ  ＰＤＵの情報を表示するフィールドを備えるように第一ヘッダを設定するコードとを含む。
【発明を実施するための最良の形態】
【００１２】
図１を参照する。図１は無線通信システム１０００を表す説明図である。無線通信システム１０００は望ましくはＬＴＥ無線通信システムであり、概してネットワークと複数のＵＥ（ユーザー端末）を含む。図１では、ネットワークとＵＥは無線通信システム１０００の構造を説明するために用いるに過ぎない。実際、ネットワークは要求に応じて複数の基地局、ＲＮＣ（無線ネットワークコントローラー）を含みうる。ＵＥは携帯電話またはコンピュータシステムなどの装置である。なお、ネットワークとＵＥはデータの伝送方向によって送信端または受信端として定めることができる。例えば、下り送信時にはネットワークは送信端で、ＵＥは受信端であり、上り送信時にはネットワークは送信端で、ＵＥは受信端である。
【００１３】
図２を参照する。図２は無線通信装置１００のブロック図である。無線通信装置１００は図１に示すＵＥまたはネットワークを実施するものである。説明を簡潔にするために、図２では無線通信装置１００の入力装置１０２、出力装置１０４、制御回路１０６、ＣＰＵ（中央処理装置）１０８、記憶装置１１０、プログラムコード１１２及びトランシーバー１１４のみ示している。無線通信装置１００では、制御回路１０６はＣＰＵ１０８を通して記憶装置１１０に記録されたプログラムコード１１２を実行することで、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルの構造に当てはめれば、トランシーバー１１４は第一層の一部とみなされ、制御回路１０６は第二層と第三層の機能を実現する。
【００１４】
図３を参照する。図３は図２に示すプログラムコード１１２を表す説明図である。プログラムコード１１２はアプリケーション層２００と、第三層インターフェイス２０２と、第二層インターフェイス２０６を備え、第一層インターフェイス２１８と接続されている。第三層インターフェイス２０２はＰＤＣＰ（パケットデータコンバージェンスプロトコル）層インターフェイスを備える（ＰＤＣＰ層インターフェイスは第二層インターフェイス２０６に帰属しても可能。ＰＤＣＰ層インターフェイスの帰属問題は本発明とは無関係である）。第二層インターフェイス２０６はリンク制御を実施するためのＲＬＣ層インターフェイスとＭＡＣ層インターフェイスを備える。第一層インターフェイス２１８は実体接続を実施する。
【００１５】
ＬＴＥ無線通信システムでは、無線環境に変化があった場合、第二層インターフェイス２０６はＲＬＣ  ＰＤＵのセグメント化または再セグメント化をサポートする。それに鑑みて、本発明の実施例ではＲＬＣ  ＰＤＵセグメントのヘッダを正確に設定するために、ヘッダ設定プログラムコード２２０を提供する。図４を参照する。図４は本発明の実施例による方法４０のフローチャートである。方法４０は無線通信システム１０００の送信端においてヘッダを設定するのに用いられ、以下の段階を含む。
【００１６】
ステップ４００：開始。
ステップ４０２：ＲＬＣ  ＰＤＵを複数のセグメントにセグメント化する。複数のセグメントのうち１つは第一ヘッダを備える。
ステップ４０４：前記ＲＬＣ  ＰＤＵの情報を表示するフィールドを備えるように第一ヘッダを設定する。
ステップ４０６：終了。
【００１７】
以上のように、ＲＬＣ  ＰＤＵを複数のセグメントにセグメント化した後、本発明の実施例ではＲＬＣ  ＰＤＵの情報を表示するフィールドを備えるように特定セグメントのヘッダを設定する。言い換えれば、本発明の実施例では、ＲＬＣ  ＰＤＵセグメントのヘッダには元ＲＬＣ  ＰＤＵの情報が含まれている。したがって、受信端はそれに基づいて元ＲＬＣ  ＰＤＵに再組み立てすることができる。
【００１８】
本発明の実施例によれば、前記フィールドは望ましくはＲＬＣ  ＰＤＵのシーケンス番号、例えばＲＬＣシーケンス番号または上位層プロトコルエンティティー（すなわちＰＤＣＰエンティティー）に用いられるシーケンス番号を示す。そうなると、ＲＬＣ  ＰＤＵの複数のセグメントが本来の順序で受信端に到達しないか、または他のＲＬＣ  ＰＤＵもしくはＲＬＣ  ＰＤＵセグメントが混在していても、本発明の実施例では前記フィールドに基づいて元ＲＬＣ  ＰＤＵに再組み立てし、伝送効率を保持することができる。
【００１９】
まとめていえば、本発明の実施例によれば、ＲＬＣ  ＰＤＵセグメントのヘッダは元ＲＬＣ  ＰＤＵの情報を含み、本発明はそれに基づいて元ＲＬＣ  ＰＤＵに再組み立てし、伝送効率を保持して送信の失敗を回避することができる。
【００２０】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２１】
【図１】無線通信システムを表す説明図である。
【図２】本発明による無線通信装置のブロック図である。
【図３】図２に示すプログラムコードを表す説明図である。
【図４】本発明の実施例による方法のフローチャートである。
【符号の説明】
【００２２】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層インターフェイス
２０６  第二層インターフェイス
２１８  第一層インターフェイス
２２０  ヘッダ設定プログラムコード
１０００  無線通信システム
【図１】
2009049990.tif 000003
【図２】
2009049990.tif 000004
【図３】
2009049990.tif 000005
【図４】
2009049990.tif 000006